(57)【特許請求の範囲】
【請求項１】
塔本体内に設けられた目板の集水孔に多孔管の上端側を挿通し、目板上部のろ過水室側に突出させて、ろ過水室側で係止することにより、多孔管の周囲にろ過エレメントが装着されてなるフィルタ部材を吊り下げ支持する際に用いられる吊り下げ治具であって、
引き上げ部材用の連結部を先端付近に備え、該引き上げ部材により、目板下部のエレメント室から集水孔を通過してろ過水室側へと引き上げられる棒状の先導部材と、
前記先導部材の後端付近に装着されると共に、前記多孔管の上端開口部から挿入されて多孔管内周面に圧接可能に設けられ、前記引き上げ部材による引き上げ時にフィルタ部材を連結状態で保持する連結用パッキンとを具備し、
前記先導部材の少なくとも１箇所に、任意の方向に屈曲可能な関節部が設けられていることを特徴とする吊り下げ治具。
【請求項２】
先導部材の軸方向に沿って前記連結用パッキンを押圧可能なナット部材を有し、該ナット部材を締め付けることにより、連結用パッキンの外周面を外方に膨出させて多孔管内周面に圧接可能であることを特徴とする請求項１記載の吊り下げ治具。
【請求項３】
前記引き上げ部材用の連結部と連結用パッキンとの間に設けられ、先導部材の先端方向に向かって先細りとなるガイド用パッキンを有することを特徴とする請求項１又は２記載の吊り下げ治具。
【請求項４】
塔本体内に設けられた目板の集水孔に、多孔管の周囲にろ過エレメントが装着されてなるフィルタ部材を吊り下げ支持する方法であって、
少なくとも１箇所に、任意の方向に屈曲可能な関節部を有する棒状の先導部材の先端付近に引き上げ部材を連結する工程と、
前記先導部材の後端付近に装着された連結用パッキンを、前記多孔管の上端開口部からその内部に挿入し、多孔管内周面に圧接させる工程と、
引き上げ部材を目板上部のろ過水室側で引き上げ操作し、前記先導部材を目板下部のエレメント室から集水孔を通過させてろ過水室側へと引き上げ、多孔管の上端側をろ過水室側へ所定量突出させる工程と、
前記連結用パッキンによる多孔管内周面への圧接力を解除し、連結用パッキンを備えた先導部材を取り外す工程と、
多孔管の上端側をろ過水室側で係止する工程とを具備することを特徴とするフィルタ部材の吊り下げ支持方法。
【発明の詳細な説明】
【０００１】
【発明の属する技術分野】
本発明は、一般産業復水、上水、工業用水、工場排水、発電所用水、ボイラ復水処理等のろ過などに用いられるフィルタ部材の吊り下げ治具及び吊り下げ支持方法に関する。
【０００２】
【従来の技術】
例えば、火力発電所では、ボイラで発生した水蒸気を高圧タービン、低圧タービンの順に送り、各タービンで発電機を回転させて発電し、発電後の蒸気を復水器で冷却して復水として復水浄化系へ送り、繰り返し使用している。復水浄化系では、復水をろ過装置、復水脱塩装置の順に送り、ボイラ等の機器類や配管等の配管材料から発生した酸化鉄微粒子等の懸濁物質やＣｕイオン、Ｎａイオン、Ｃｌイオン等の種々のイオン成分を除去した後、復水を低圧給水加熱器、高圧給水加熱器の順に通し、ボイラへ送る。
【０００３】
また、沸騰水型原子力発電所（ＢＷＲ）では、原子炉で発生した水蒸気を高圧タービン、低圧タービンの順に送り、各タービンで発電機を回転させて発電し、発電後の蒸気を復水器で冷却して復水として復水浄化系へ送り、繰り返し使用している。復水浄化系では、復水をろ過装置、復水脱塩装置の順に送り、原子炉等の機器類や配管等の配管材料から発生した酸化鉄微粒子等の懸濁物質やＣｕイオン、Ｎａイオン、Ｃｌイオン等の種々のイオン成分を除去した後、復水を低圧給水加熱器、高圧給水加熱器の順に通し、原子炉へ送る。また、発電所には復水浄化系のほかに、原子炉冷却材浄化系や燃料プール冷却浄化系が付設されており、これらの浄化系においても系内で発生した懸濁物質やイオン成分を除去している。
【０００４】
上記した各浄化系で使用されるろ過装置としては、例えば、塔本体内に横設される目板に形成された集水孔に、フィルタ部材を吊り下げ支持させたものが用いられる。ろ過エレメントとしては、例えば、コアの周囲にろ過膜を例えばプリーツ状に折り畳んで配設すると共に、外側を例えばポリプロピレン製ネットで被覆した略筒状のカートリッジ型のものが用いられ、このろ過エレメントの中空部に多孔管を貫通配置し、この多孔管の上端側を、上記した目板の集水孔に挿入し、目板を境に上部に形成されるろ過水室側に突出させ、ナット部材等を用いて固定し吊り下げている。
【０００５】
【発明が解決しようとする課題】
多孔管の上端側を目板の集水孔に挿入するに当たっては、従来、次のように行っている。まず、作業者を目板下部のエレメント室内と、目板上部のろ過水室内に配置し、サイドマンホールを通じて約２ｍ余りあるフィルタ部材をエレメント室内に搬入する。次に、エレメント室内の作業者がこのフィルタ部材を略垂直方向に持ち上げ、フィルタ部材の多孔管の上端側を、目的とする集水孔に挿入し、該上端側をろ過水室側に所定量突出させた状態で保持する。そして、ろ過水室内の作業者が、多孔管の上端側にナット部材を装着して係止する。
【０００６】
しかしながら、エレメント室内の塔下部から目板までの高さは、通常約３〜４ｍほどある。従って、エレメント室内の作業者がフィルタ部材を持ち上げて、約２ｍ先の多孔管の上端側を、所定の集水孔を目指して挿入することは容易ではない。しかも、フィルタ部材が吊り下げられる集水孔は、直径約２〜２．５ｍ程度の目板に対して数百個単位で設けられているため、その全てに上記のように作業者が持ち上げてフィルタ部材を挿入することは、大変な労力を要し、作業時間も長く要する。
【０００７】
本発明は上記に鑑みなされたものであり、フィルタ部材を目板の集水孔に挿入して吊り下げ支持する作業を容易化し、安全性を高め、取付作業時間の短縮化を図ることができるフィルタ部材の吊り下げ治具及び吊り下げ支持方法を提供することを課題とする。
【０００８】
【課題を解決するための手段】
上記課題を解決するため、請求項１記載の本発明では、塔本体内に設けられた目板の集水孔に多孔管の上端側を挿通し、目板上部のろ過水室側に突出させて、ろ過水室側で係止することにより、多孔管の周囲にろ過エレメントが装着されてなるフィルタ部材を吊り下げ支持する際に用いられる吊り下げ治具であって、
引き上げ部材用の連結部を先端付近に備え、該引き上げ部材により、目板下部のエレメント室から集水孔を通過してろ過水室側へと引き上げられる棒状の先導部材と、
前記先導部材の後端付近に装着されると共に、前記多孔管の上端開口部から挿入されて多孔管内周面に圧接可能に設けられ、前記引き上げ部材による引き上げ時にフィルタ部材を連結状態で保持する連結用パッキンとを具備し、
前記先導部材の少なくとも１箇所に、任意の方向に屈曲可能な関節部が設けられていることを特徴とする吊り下げ治具を提供する。
請求項２記載の本発明では、先導部材の軸方向に沿って前記連結用パッキンを押圧可能なナット部材を有し、該ナット部材を締め付けることにより、連結用パッキンの外周面を外方に膨出させて多孔管内周面に圧接可能であることを特徴とする請求項１記載の吊り下げ治具を提供する。
請求項３記載の本発明では、前記引き上げ部材用の連結部と連結用パッキンとの間に設けられ、先導部材の先端方向に向かって先細りとなるガイド用パッキンを有することを特徴とする請求項１又は２記載の吊り下げ治具を提供する。
請求項４記載の本発明では、塔本体内に設けられた目板の集水孔に、多孔管の周囲にろ過エレメントが装着されてなるフィルタ部材を吊り下げ支持する方法であって、
少なくとも１箇所に、任意の方向に屈曲可能な関節部を有する棒状の先導部材の先端付近に引き上げ部材を連結する工程と、
前記先導部材の後端付近に装着された連結用パッキンを、前記多孔管の上端開口部からその内部に挿入し、多孔管内周面に圧接させる工程と、
引き上げ部材を目板上部のろ過水室側で引き上げ操作し、前記先導部材を目板下部のエレメント室から集水孔を通過させてろ過水室側へと引き上げ、多孔管の上端側をろ過水室側へ所定量突出させる工程と、
前記連結用パッキンによる多孔管内周面への圧接力を解除し、連結用パッキンを備えた先導部材を取り外す工程と、
多孔管の上端側をろ過水室側で係止する工程とを具備することを特徴とするフィルタ部材の吊り下げ支持方法を提供する。
【０００９】
【発明の実施の形態】
次に、図面に示した実施形態に基づき本発明をさらに詳細に説明する。図１は、本発明の一の実施形態に係る吊り下げ治具１００を示す側面図である。この図に示したように、吊り下げ治具１００は、先導部材２００と連結用パッキン３１０とを有している。
【００１０】
先導部材２００は、２本の棒状部材２１０，２２０から構成される。第１の棒状部材２１０の先端には、引き上げ部材であるロープ４００を連結するため、リング状に折り曲げ加工した引き上げ部材用連結部２１０ａが形成され、後端には、第２の棒状部材２２０を連結するため、同じくリング状に加工した後端接続部２１０ｂが形成されている。第２の棒状部材２２０の先端には、リング状に加工した先端接続部２２１ａが形成されており、この先端接続部２２１ａが第１の棒状部材２１０の後端接続部２１０ｂに係合している。第２の棒状部材２２０の先端接続部２２１ａと第１の棒状部材２１０の後端接続部２１０ｂとが係合していることにより、当該部位が一方を他方に対して任意の方向に屈曲させる関節部として機能する。先導部材２００が１本の棒状部材からなり、関節部を有していない場合には、目板１０の集水孔１０ａに挿通させた際に、引き上げ部材であるロープ４００により、先導部材２００の全てが集水孔１０ａを通過するまで真っ直ぐ引き上げる必要があるが、このように関節部として機能する部位を１箇所以上設けることにより、引き上げ方向が多少傾いても先導部材２００を集水孔１０ａに容易に通過させることができる。
【００１１】
先導部材２００の第２の棒状部材２２０は、より具体的には、周面に雄ねじ部２２１ｂ，２２２ｂが形成され、長手方向略中央部で先端ロッド部２２１と後端ロッド部２２２とに分断されている。先端ロッド部２２１は、上記のように先端接続部２２１ａを有し、後端ロッド部２２２は、後端にボルト頭部２２２ａを位置させ、その先端を、先端ロッド部２２１の後端に突き合わせるように配置して、両者を接続用ナット２２３により連結している。
【００１２】
後端ロッド部２２２には、上記のようにして接続用ナット２２３を用いて先端ロッド部２２１に連結する前に、ボルト頭部２２２ａに当接するように平座金３００が配置され、さらに、連結用パッキン３１０、平座金３２０、押圧用ナット部材３３０及びガイド用パッキン３４０が順に挿入される。
【００１３】
連結用パッキン３１０は、３枚のゴム製の板部材３１１〜３１３を積層して構成される。連結用パッキン３１０は、押圧用ナット部材３３０によって押圧しない状態では、後述するフィルタ部材２の多孔管２１内に容易に挿通できる外径で形成されている一方、押圧用ナット部材３３０をボルト頭部２２２ａ方向に締め付けることにより、平座金３００，３２０を介して後端ロッド部２２２の軸方向に押圧され、この結果、周面が外方に膨出し、多孔管２１の内周面に圧接するものである。なお、連結用パッキン３１０は、かかる機能を発揮し得る限り、板部材３１１〜３１３の積層枚数、形状等は限定されるものではない。また、ゴムではなく、合成樹脂材料から形成することもできる。
【００１４】
連結用パッキン３１０により保持される多孔管２１を、集水孔１０ａに直接導いた場合には、多孔管２１の先端部が集水孔１０ａの周囲の目板下面に当接し、目板１０に積層されている保護ライナーを損傷する。そこで、多孔管２１の先端部を、目板下面に接触しないように集水孔１０ａに挿通するため、ガイド用パッキン３４０が配設される。ガイド用パッキン３４０は、かかる機能を果たすため、その後端側の外径は、多孔管２１の外径とほぼ同じ程度である一方、先端方向に向かって先細りとなるテーパ状に形成されている。テーパ部３４０ａの先端側から集水孔１０ａに挿入されるため、外径の大きな後端側が通過する時点で、多孔管２１の先端部が集水孔１０ａの真下に位置することになり、集水孔１０ａへの挿入時に多孔管２１の先端部が目板下面に接触することが防止される。ガイド用パッキン３４０としては、ゴムから形成することが好ましいが、合成樹脂から形成することもできる。なお、ガイド用パッキン３４０の先端面は、上記の接続用ナット２２３に当接しており、これにより後端ロッド部２２２における装着位置が規制されている。
【００１５】
ここで、本実施形態の吊り下げ治具１００により吊り下げ対象となるフィルタ部材２の一例及び該フィルタ部材２を用いたろ過装置の概略構造について図２〜図９に基づき説明する。これらの図において、１はろ過装置の塔本体を示し、２はフィルタ部材を示す。塔本体１内には、複数の集水孔１０ａが形成された目板１０が配設されており、この目板１０を境として上部にろ過水室１１が、下部にエレメント室１２が形成されている。
【００１６】
フィルタ部材２は、複数の集水孔１０ａのそれぞれに対応して、エレメント室１２内に複数吊り下げ支持される。そして、処理対象となる被処理水は、流入管１３を介してエレメント室１２内に流入し、流入した被処理水は塔下部（鏡板）にあたることにより塔下部がバッフルプレートの役目を果たし、塔内に均一に分配されて、フィルタ部材２を通過してろ過され、ろ過水としてろ過水室１１内に流入した後、流出管１４から次工程へ送られる。
【００１７】
フィルタ部材２は、図３に示したように、軸部材である多孔管２１と、この多孔管２１の周囲に装着されるろ過エレメント２２とを有して構成されている。多孔管２１は、図４に示したように、例えばステンレスから形成され、周面に多数の小穴２１ａが形成されており、その長さ方向に沿って複数本、例えば、２本のろ過エレメント２２を支持可能な長さを有している（図３参照）。
【００１８】
なお、多孔管２１において、目板１０に吊り下げた際に下端側となる端部には端壁部材２１ｂが固着されており、この端壁部材２１ｂに下部ボルト２１ｃが外方に突出するように固着されている。また、目板１０に吊り下げた際に上端側となる端部から所定長さ下端方向に寄った位置には、その外周にフランジ２１ｄが溶接されている。目板１０の集水孔１０ａに下方から挿入した際、該フランジ２１ｄが目板１０の下面に当接し、ろ過水室１１側への多孔管２１の突出量を規制して一定にするものである。従って、フランジ２１ｄの溶接位置は、多孔管２１を集水孔１０ａに挿通した際に、該集水孔１０ａを貫通した上で、ろ過水室１１側で、リーク防止のガスケット２１ｇ及び集水孔１０ａからの脱落を防止する上部ナット２１ｆ、ロックナット２１ｅを締結し得る位置となっている（図３及び図５参照）。
【００１９】
ろ過エレメント２２は、図８に示したように、例えば、円筒形のコア２３の周囲に、ろ過膜２４をプリーツ状に折り畳んだ状態で略筒状に配設すると共に、その外周をポリプロピレン製のネット部材２５で被覆したプリーツ型フィルタが用いられる。このろ過エレメント２２の各端部には、ろ過膜を保持するための略環状のエンド部材２６が配設されており、また、コア２３の各端部２３ａ，２３ｂが外方に突出している。なお、上記の多孔管２１は、このコア２３を貫通して配設される。
【００２０】
図３に示した態様では、ろ過エレメント２２が、多孔管２１の長手方向に沿って２本配設されており、上側に配置されるろ過エレメント２２におけるコア２３の上端側の端部２３ａには、図６に示したように、Ｏリング２３ｃを介在させた上で、上部ソケット２７が装着されている。また、下側に配置されるろ過エレメント２２におけるコア２３の下端側の端部２３ｂには、図７に示したように、中央部に多孔管２１のボルト２１ｃが挿通される挿通孔を有する下部ソケット２８がＯリング２３ｃを介在させた上で装着されている。なお、挿通孔からの未処理水のリークを防止するため、下部ソケット２８を挟んだボルト２１ｃの周囲には、封止用ガスケット２８ａ，２８ｂが装填されている。さらに、上側に配置されたろ過エレメント２２の下端側の端部２３ｂと下側に配置されたろ過エレメント２２の上端側の端部２３ａとの間には、図３に示したように、それぞれＯリング（図示せず）を介在させた上で、両者間を密閉的に接続する接続ソケット２９が装着されている。
【００２１】
ボルト２１ｃにおける下部ソケット２８の下側には、ろ過エレメント２２の下端位置を規制する下端位置規制部材としての下部ナット３０がワッシャ３０ａを介して配設されている（図３及び図７参照）。もちろん、この下部ナット３０は、ろ過エレメント２２の下方への移動を防止できるものであればよく、かかる機能を果たせる限り、その配設数は何ら限定されるものではない。
【００２２】
また、下部ナット３０の下側においては、ボルト２１ｃをフラットバー３１に形成された連結孔に挿通することにより、該フラットバー３１に係合させており、フラットバー３１のボルト２１ｃからの離脱を防止すると共に、上記の下部ナット３０と共にろ過エレメント２２の下端位置を規制する機能も担う２つのロックナット３２，３３を螺合させている。なお、フラットバー３１とは、図９に示したように格子状に形成され、前後左右に所定間隔ごとに上記連結孔が穿設された構造を有しており、塔本体１内に多数配置されるフィルタ部材２における多孔管２１のボルト２１ｃ同士を連結して、隣接するフィルタ部材２同士の間隔を一定に保つ役割を果たすものである。
【００２３】
多孔管２１を目板１０の集水孔１０ａに挿通して取り付けた際に、該目板１０と上記した上側に配置されるろ過エレメント２２との間、図５に示した態様では、多孔管２１に目板１０の下面に当接するフランジ２１ｄを有していると共に、上記のように該ろ過エレメント２２の上端側のコア端部２３ａに、上部ソケット２７を装着していることから、このフランジ２１ｄと上部ソケット２７との間であって、多孔管２１回りにバネ部材としてのコイルスプリング４０を配設している。このコイルスプリング４０は、上端がフランジ２１ｄに当接し、下端が上部ソケット２７に当接しているため、常態において、２本のろ過エレメント２２を含む上部ソケット２７から下部ソケット２８までの部位の全てを、下端位置規制部材である下部ナット３０に押し付けるように弾発付勢する。すなわち、各ろ過エレメント２２を下端位置規制部材である下部ナット３０に向かって常時付勢するように機能する。このコイルスプリング４０の弾発付勢力により、ろ過エレメント２２の製作許容誤差及び通水による収縮量を吸収し、隙間の発生を防ぎ、ろ過エレメント２２を通過しない未処理水が生じることを防止できる
【００２４】
次に、本実施形態の吊り下げ治具１００を用いてフィルタ部材２を吊り下げる方法について図１０に基づき説明する。まず、図１０（ａ）に示したように、ろ過水室１１とエレメント室１２に作業者を配置する。そして、エレメント室１２のサイドマンホール１５からフィルタ部材２をエレメント室１２内に挿入する。
【００２５】
次に、ろ過水室１１内の作業者が、フィルタ部材２を吊り下げようとする所定の集水孔１０ａを通じて、吊り下げ治具１００をエレメント室１２内におろす。図１０（ｂ）に示したように、エレメント室１２内の作業者はこの吊り下げ治具１００を受け取った後、多孔管２１の上端開口部から連結用パッキン３１０を挿入する。押圧用ナット部材３３０により連結用パッキン３１０をボルト頭部２２２ａに向かって締め付け、連結用パッキン３１０の周面を外方に膨出させるように押圧し、多孔管２１の内周面に連結用パッキン３１０を圧接する。これにより、連結用パッキン３１０が多孔管２１に連結される。
【００２６】
次に、ろ過水室１１内の作業者が、ロープ４００を引っ張る。これにより、まず、先導部材２００の第１の棒状部材２１０が集水孔１０ａを通過し、次に、第２の棒状部材２２０が集水孔１０ａを通過する。この際、第２の棒状部材２２０の中途に設けられたガイド用パッキン３４０の先細りとなっているテーパ部３４０ａがその先端側から該集水孔１０ａ内に進入していく。テーパ部３４０ａの通過に伴って多孔管２１の軸ぶれが修正されていき、目板１０の下面の保護ライナーを損傷することなく、集水孔１０ａに対して多孔管２１がほぼ真っ直ぐ挿入される。
【００２７】
多孔管２１のフランジ２１ｄが目板１０の下面に当接するまで挿入されたならば、ろ過水室１１の作業者が、吊り下げ治具１００の押圧用ナット部材３３０を緩める。この結果、連結用パッキン３１０が、外方へ膨出することにより、多孔管２１の内周面へ付与していた圧接力がなくなる。そして、作業者は、速やかに吊り下げ治具１００を多孔管２１から引き抜く。吊り下げ治具１００を引き抜いたならば、座金２１ｇを挿入して上部ナット２１ｆにて締結する（図１０（ｃ）及び図５参照）。トルクレンチにて上部ナット２１ｆの締め付けトルク値が所定の基準値に至るまで締め付けたならば、最後にロックナット２１ｅを多孔管２１に締結する。これにより、一つのフィルタ部材２の取付作業が終了する。なお、この間、エレメント室１２内の作業者はフィルタ部材２の落下を防止するため、エレメント室１２内で該フィルタ部材２を支えておく（図１０（ｃ）参照）。
【００２８】
上記した作業を繰り返し、目的とする集水孔１０ａに対して、フィルタ部材２を順次吊り下げていく（図１０（ｄ）参照）。目板１０の全ての集水孔１０ａにフィルタ部材２を吊り下げ支持したならば、下部ボルト２１ｃをフラットバー３１に形成された連結孔に挿通し、下部ボルト２１ｃに２つのロックナット３２，３３を螺合させる（図７及び図９参照）。
【００２９】
【発明の効果】
本発明によれば、吊り下げ治具が、引き上げ部材用の連結部を先端付近に備え、該引き上げ部材により、目板下部のエレメント室から集水孔を通過してろ過水室側へと引き上げられる棒状の先導部材と、前記先導部材の後端付近に装着されると共に、前記多孔管の上端開口部から挿入されて多孔管内周面に圧接可能に設けられ、前記引き上げ部材による引き上げ時にフィルタ部材を連結状態で保持する連結用パッキンとを有し、前記先導部材の少なくとも１箇所に、任意の方向に屈曲可能な関節部が設けられている。
【００３０】
従って、目板上部のろ過水室内の作業者が引き上げ部材によりこの吊り下げ治具を引き上げるだけで、先導部材に案内されるフィルタ部材の多孔管が、目的とする集水孔に確実にかつ容易に挿入されるため、取り付け作業の容易化を図り、また作業の安全性を高めることができる。また、このような吊り下げ治具を使用する場合、ろ過水室側からの引き上げに当たって、目板に対して数百本単位で取り付けられるフィルタ部材との連結作業が必要となるが、本発明によれば、多孔管の上端開口部から連結用パッキンを挿入して多孔管内周面に圧接させるだけでフィルタ部材と連結できることから、この連結作業がきわめて容易であり、連結作業に伴う作業負担の増加が小さい。また、その取り外し作業も容易である。従って、吊り下げ治具を用いていなかった従来の取付方法と比較して、取付作業に要する総作業時間の短縮化を図ることができる。さらに、先導部材が関節部を有していない場合には、目板の集水孔に挿通させた際に、引き上げ部材により、先導部材の全てが集水孔を通過するまで真っ直ぐ引き上げる必要があるが、関節部として機能する部位を１箇所以上設けたことにより、引き上げ方向が多少傾いても先導部材を集水孔に容易に通過させることができる。
【図面の簡単な説明】
【図１】本発明の一の実施形態に係る吊り下げ治具を示す側面図である。
【図２】本発明の吊り下げ治具及び吊り下げ支持方法が適用されるろ過装置の全体構造の一例を示す図である。
【図３】本発明の吊り下げ治具及び吊り下げ支持方法が適用されるフィルタ部材の一例を示す図である。
【図４】上記フィルタ部材で用いた多孔管を示す図である。
【図５】図３のＡ部拡大図である。
【図６】図５のＣ部拡大図である。
【図７】図３のＢ部拡大図である。
【図８】上記フィルタ部材で用いたろ過エレメントの一部を示す斜視図である。
【図９】フラットバーを示す図である。
【図１０】本発明の吊り下げ支持方法の一の実施形態を説明するための作業工程図である。
【符号の説明】
１  塔本体
１０  目板
１０ａ  集水孔
１１  ろ過水室
１２  エレメント室
２  フィルタ部材
２１  多孔管
２２  ろ過エレメント
２７  上部コアソケット
２８  下部コアソケット
２９  連結用コアソケット
３０  下部ナット
４０  コイルスプリング
１００  吊り下げ治具
２００  先導部材
３１０  連結用パッキン
３３０  押圧用ナット部材
３４０  ガイド用パッキン
【図１】
0004592932.tif 000002
【図２】
0004592932.tif 000003
【図３】
0004592932.tif 000004
【図４】
0004592932.tif 000005
【図５】
0004592932.tif 000006
【図６】
0004592932.tif 000007
【図７】
0004592932.tif 000008
【図８】
0004592932.tif 000009
【図９】
0004592932.tif 000010
【図１０】
0004592932.tif 000011